【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
出力部を少なくとも備えた端末装置に通信可能に接続された、制御部と記憶部とを少なくとも備えたナビゲーションサーバであって、
上記記憶部は、
利用者により広告配信店舗として指定された店舗、および、当該指定された店舗に関連するチェーン店を当該広告配信店舗として記憶する広告配信店舗記憶手段と、
店舗の位置情報および広告情報を記憶する店舗情報記憶手段と、
を備え、
上記制御部は、
上記端末装置の上記利用者の現在位置情報を取得する現在位置情報取得手段と、
上記現在位置情報取得手段により取得された上記現在位置情報に基づく上記端末装置の利用者の現在位置から所定の範囲を検索範囲として設定する検索範囲設定手段と、
上記検索範囲設定手段により設定された上記検索範囲内に存在する上記店舗を上記店舗情報記憶手段に記憶された上記位置情報に基づいて検索する周辺店舗検索手段と、
上記周辺店舗検索手段により検索された上記店舗が上記広告配信店舗記憶手段に記憶された上記広告配信店舗に対応する場合、当該店舗の上記広告情報を上記店舗情報記憶手段から取得し、取得された当該広告情報の少なくとも一部を含む広告情報表示画面を生成する広告情報表示画面生成手段と、
上記広告情報表示画面生成手段により生成された上記広告情報表示画面を含む出力制御情報を上記端末装置へ送信することにより、当該端末装置の上記出力部を介して当該出力制御情報を出力させる広告情報出力制御手段と、
を備えたことを特徴とする、ナビゲーションサーバ。
【請求項２】
請求項１に記載のナビゲーションサーバにおいて、
上記制御部は、
上記現在位置情報取得手段により取得された上記現在位置情報に少なくとも基づいて、上記利用者の移動手段を判別する移動手段判別手段、
を更に備え、
上記検索範囲設定手段は、
上記移動手段判別手段により判別された上記移動手段に基づいて、当該移動手段ごとの上記検索範囲を設定すること、
を特徴とする、ナビゲーションサーバ。
【請求項３】
請求項１または２に記載のナビゲーションサーバにおいて、
上記広告情報表示画面生成手段は、
上記周辺店舗検索手段により検索された上記店舗が上記指定された店舗であるかまたは上記チェーン店であるかにより、上記広告情報表示画面の内容を変更すること、
を特徴とする、ナビゲーションサーバ。
【請求項４】
請求項１または２に記載のナビゲーションサーバにおいて、
上記制御部は、
上記現在位置情報取得手段により取得された上記現在位置情報に対応する出発地および上記チェーン店に対応する目的地を少なくとも含む経路探索条件を満たす、上記出発地から上記目的地までの経路である案内経路を、上記ネットワークデータ記憶手段に記憶された上記ネットワークデータを用いて探索し、案内経路データを少なくとも含む経路案内情報を生成する案内経路探索手段、
を更に備え、
上記広告情報表示画面生成手段は、
上記周辺店舗検索手段により検索された上記店舗が上記チェーン店である場合、上記案内経路探索手段により生成された上記経路案内情報、および、上記広告情報を含む上記広告情報表示画面を生成すること、
を特徴とする、ナビゲーションサーバ。
【請求項５】
利用者により広告配信店舗として指定された店舗、および、当該指定された店舗に関連するチェーン店を当該広告配信店舗として記憶する広告配信店舗記憶手段と、
店舗の位置情報および広告情報を記憶する店舗情報記憶手段と、
上記利用者の現在位置情報を取得する現在位置情報取得手段と、
上記現在位置情報取得手段により取得された上記現在位置情報に基づく上記利用者の現在位置から所定の範囲を検索範囲として設定する検索範囲設定手段と、
上記検索範囲設定手段により設定された上記検索範囲内に存在する上記店舗を上記店舗情報記憶手段に記憶された上記位置情報に基づいて検索する周辺店舗検索手段と、
上記周辺店舗検索手段により検索された上記店舗が上記広告配信店舗記憶手段に記憶された上記広告配信店舗に対応する場合、当該店舗の上記広告情報を上記店舗情報記憶手段から取得する広告情報取得手段と、
上記広告情報取得手段により取得された上記広告情報の少なくとも一部を、出力部を介して出力する広告情報出力手段と、
を備えたことを特徴とする、ナビゲーションシステム。
【請求項６】
出力部を少なくとも備えた端末装置に通信可能に接続された、制御部と記憶部とを少なくとも備えたナビゲーションサーバにおいて実行されるナビゲーション方法であって、
上記記憶部は、
利用者により広告配信店舗として指定された店舗、および、当該指定された店舗に関連するチェーン店を当該広告配信店舗として記憶する広告配信店舗記憶手段と、
店舗の位置情報および広告情報を記憶する店舗情報記憶手段と、
を備え、
上記制御部において実行される、
上記端末装置の上記利用者の現在位置情報を取得する現在位置情報取得ステップと、
上記現在位置情報取得ステップにて取得された上記現在位置情報に基づく上記端末装置の利用者の現在位置から所定の範囲を検索範囲として設定する検索範囲設定ステップと、
上記検索範囲設定ステップにて設定された上記検索範囲内に存在する上記店舗を上記店舗情報記憶手段に記憶された上記位置情報に基づいて検索する周辺店舗検索ステップと、
上記周辺店舗検索ステップにて検索された上記店舗が上記広告配信店舗記憶手段に記憶された上記広告配信店舗に対応する場合、当該店舗の上記広告情報を上記店舗情報記憶手段から取得し、取得された当該広告情報の少なくとも一部を含む広告情報表示画面を生成する広告情報表示画面生成ステップと、
上記広告情報表示画面生成ステップにて生成された上記広告情報表示画面を含む出力制御情報を上記端末装置へ送信することにより、当該端末装置の上記出力部を介して当該出力制御情報を出力させる広告情報出力制御ステップと、
を含むことを特徴とする、ナビゲーション方法。
【請求項７】
ナビゲーションシステムにおいて実行されるナビゲーション方法であって、
上記ナビゲーションシステムは、
利用者により広告配信店舗として指定された店舗、および、当該指定された店舗に関連するチェーン店を当該広告配信店舗として記憶する広告配信店舗記憶手段と、店舗の位置情報および広告情報を記憶する店舗情報記憶手段と、現在位置情報取得手段と、検索範囲設定手段と、周辺店舗検索手段と、広告情報取得手段と、広告情報出力手段と、
を備え、
上記現在位置情報取得手段が、上記利用者の現在位置情報を取得する現在位置情報取得ステップと、
上記検索範囲設定手段が、上記現在位置情報取得ステップにて取得された上記現在位置情報に基づく上記利用者の現在位置から所定の範囲を検索範囲として設定する検索範囲設定ステップと、
上記周辺店舗検索手段が、上記検索範囲設定ステップにて設定された上記検索範囲内に存在する上記店舗を上記店舗情報記憶手段に記憶された上記位置情報に基づいて検索する周辺店舗検索ステップと、
上記広告情報取得手段が、上記周辺店舗検索ステップにて検索された上記店舗が上記広告配信店舗記憶手段に記憶された上記広告配信店舗に対応する場合、当該店舗の上記広告情報を上記店舗情報記憶手段から取得する広告情報取得ステップと、
上記広告情報出力手段が、上記広告情報取得ステップにて取得された上記広告情報の少なくとも一部を、出力部を介して出力する広告情報出力ステップと、
を含むことを特徴とする、ナビゲーション方法。
【請求項８】
出力部を少なくとも備えた端末装置に通信可能に接続された、制御部と記憶部とを少なくとも備えたナビゲーションサーバに実行させるためのプログラムであって、
上記記憶部は、
利用者により広告配信店舗として指定された店舗、および、当該指定された店舗に関連するチェーン店を当該広告配信店舗として記憶する広告配信店舗記憶手段と、
店舗の位置情報および広告情報を記憶する店舗情報記憶手段と、
を備え、
上記制御部において、
上記端末装置の上記利用者の現在位置情報を取得する現在位置情報取得機能と、
上記現在位置情報取得機能により取得された上記現在位置情報に基づく上記端末装置の利用者の現在位置から所定の範囲を検索範囲として設定する検索範囲設定機能と、
上記検索範囲設定機能により設定された上記検索範囲内に存在する上記店舗を上記店舗情報記憶手段に記憶された上記位置情報に基づいて検索する周辺店舗検索機能と、
上記周辺店舗検索機能により検索された上記店舗が上記広告配信店舗記憶手段に記憶された上記広告配信店舗に対応する場合、当該店舗の上記広告情報を上記店舗情報記憶手段から取得し、取得された当該広告情報の少なくとも一部を含む広告情報表示画面を生成する広告情報表示画面生成機能と、
上記広告情報表示画面生成機能により生成された上記広告情報表示画面を含む出力制御情報を上記端末装置へ送信することにより、当該端末装置の上記出力部を介して当該出力制御情報を出力させる広告情報出力制御機能と、
を実現させるためのプログラム。
【請求項９】
ナビゲーションシステムに実行させるためのプログラムであって、
上記ナビゲーションシステムは、
利用者により広告配信店舗として指定された店舗、および、当該指定された店舗に関連するチェーン店を当該広告配信店舗として記憶する広告配信店舗記憶手段と、
店舗の位置情報および広告情報を記憶する店舗情報記憶手段と、
を備え、
上記ナビゲーションシステムにおいて、
上記利用者の現在位置情報を取得する現在位置情報取得機能と、
上記現在位置情報取得機能により取得された上記現在位置情報に基づく上記利用者の現在位置から所定の範囲を検索範囲として設定する検索範囲設定機能と、
上記検索範囲設定機能により設定された上記検索範囲内に存在する上記店舗を上記店舗情報記憶手段に記憶された上記位置情報に基づいて検索する周辺店舗検索機能と、
上記周辺店舗検索機能により検索された上記店舗が上記広告配信店舗記憶手段に記憶された上記広告配信店舗に対応する場合、当該店舗の上記広告情報を上記店舗情報記憶手段から取得する広告情報取得機能と、
上記広告情報取得機能により取得された上記広告情報の少なくとも一部を、出力部を介して出力する広告情報出力機能と、
を実現させるためのプログラム。
【手続補正２】
【補正対象書類名】明細書
【補正対象項目名】発明の名称
【補正方法】変更
【補正の内容】
【発明の名称】ナビゲーションシステム、ナビゲーションサーバ、ナビゲーション方法、および、プログラム
【手続補正３】
【補正対象書類名】明細書
【補正対象項目名】０００１
【補正方法】変更
【補正の内容】
【０００１】
本発明は、ナビゲーションシステム、ナビゲーションサーバ、ナビゲーション方法、および、プログラムに関する。